(57)【要約】【課題】  磁気コイル方式で上下方向に振動する振動子を使用して様々な皮膚管理モードを遂行し、振動子を使用したガルバニックマッサージ及びイオン泳動マッサージが可能であり、Ｍ−Ｃ−Ｓ（Magnetic-Color-Sound）セラピー機能を遂行する皮膚美容装置。【解決手段】  本発明の皮膚美容装置は、ケース、電源の印加を受けて磁気コイル方式で振動する振動子を備えた振動部、振動子と反対極性に帯電する外部電極部、操作スイッチ部、操作スイッチ部から入力された信号に応じて振動部を制御する制御部を含み、振動部はハウジングとこのハウジング下側端部に固定されて磁力を発生させる磁石組立体と、磁石組立体の間に磁気コイル方式による上下方向の振動を発生させるためのコイルが巻かれるボビンと、ハウジングの内でボビンを支持する少なくとも一つ以上のダンパーと、ボビンと結合されて一体に振動する振動子とを含む。【選択図】    図２
2005007164.tif 000002
【特許請求の範囲】
【請求項１】
外形を形成するケース；
前記ケースの内部に設けられ、電源部から電源の印加を受けて磁気コイル方式で振動する振動子を備えた振動部；
前記振動子と反対極性に帯電し、前記ケースに設置される外部電極部；
前記ケースに備えられる操作スイッチ部；及び
前記操作スイッチ部から入力された信号に応じて前記振動部を制御する制御部を含む、皮膚美容装置。
【請求項２】
前記振動部は、ハウジングと、前記ハウジングの下側端部に固定されて磁力を発生させる磁石組立体と、前記磁石組立体の間に磁気コイル方式による上下方向の振動を発生させるためのコイルが巻かれるボビンと、前記ハウジングの内部に設けられ、前記ボビンを支持する少なくとも一つ以上のダンパーと、前記ボビンと結合されて一体に振動する振動子とを含む、請求項１に記載の皮膚美容装置。
【請求項３】
前記ダンパーは、前記ボビンの上側で前記ハウジングの第１安着部に安着する第１ダンパーと、第１ダンパーの上側で前記ハウジングの第２安着部に安着する第２ダンパーとを含む、請求項２に記載の皮膚美容装置。
【請求項４】
前記第１ダンパーには、ボビンが貫通して設けられ、第２ダンパーには、振動子がネジ締結方式で固定設置される、請求項３に記載の皮膚美容装置。
【請求項５】
前記第２ダンパーは、電極端子が形成される外側環と、外側環の内側に配置される内側環と、前記内側環及び外側環の間の空間で両側環をほぼ“⊃”の字形状に連結する複数の連結片と、前記連結片において前記内側環の中心に向かって互いに連結される複数の支持片と、前記内側環の中心から支持片の連結部に提供されるネジ挿入孔とを含む、請求項４に記載の皮膚美容装置。
【請求項６】
前記第２ダンパーはステンレススチールから形成される、請求項５に記載の皮膚美容装置。
【請求項７】
前記振動子の内部には、前記ネジ挿入孔と対向する位置にネジ締結孔が備えられ、振動子の下側端部には、第２ダンパーの支持片の間に挿入される３個の挿入片が備えられる、請求項５に記載の皮膚美容装置。
【請求項８】
前記振動子は、プラスチック材質の本体と、前記本体の先端部表面に白金族元素のロジウム（Ｒｈ）をメッキして形成した皮膚に接触するメッキ層とを含む、請求項７に記載の皮膚美容装置。
【請求項９】
前記振動子と第２ダンパーとの通電経路は、両部品を締結するネジ及び前記メッキ層によって形成される、請求項８に記載の皮膚美容装置。
【請求項１０】
前記外部電極部は、プラスチック本体の表面に導電性物質をメッキして形成される、請求項１乃至９のうちのいずれかに記載の皮膚美容装置。
【請求項１１】
前記外部電極部は、制御部が設置されるＰＣＢ上にネジ締結方式で締結されることにより通電する、請求項１０に記載の皮膚美容装置。
【請求項１２】
前記操作スイッチ部は、電源ボタンと、モード選択ボタンと、レベル選択ボタンとを含む、請求項１乃至９のうちのいずれかに記載の皮膚美容装置。
【請求項１３】
前記モード選択ボタンは、クレンジングモード（cleansing  mode）、アイゾーンモード（eyezone  mode）、フェーシャルモード（facial  mode）、リフティングモード（lifting  mode）、及びイオン導入モード（vitamin  mode）を選択することができるように構成される、請求項１２に記載の皮膚美容装置。
【請求項１４】
前記レベル選択ボタンは、ローレベル（low  level）、ミディアムレベル（medium  level）、ハイレベル（high  level）、及び無振動レベルを選択することができるように構成される、請求項１２に記載の皮膚美容装置。
【請求項１５】
前記ケースには、マグネチックセラピー機能を遂行するための磁石を備えたカバーが着脱可能に設置される、請求項１乃至９のうちのいずれかに記載の皮膚美容装置。
【請求項１６】
前記ケースには、前記磁石を固定する磁石固定板が設置される、請求項１５に記載の皮膚美容装置。
【請求項１７】
前記ケースには、カラーセラピー機能を遂行するための光放出部が備えられる、請求項１乃至９のうちのいずれかに記載の皮膚美容装置。
【請求項１８】
前記光放出部は、赤色光源と青色光源とを含む、請求項１７に記載の皮膚美容装置。
【請求項１９】
前記ケースの内部には、制御部が設置されるＰＣＢ上に設置されるボイスＩＣと、ボイスＩＣの信号を増幅する増幅部とを含む音声出力部が備えられる、請求項１乃至９のうちのいずれかに記載の皮膚美容装置。
【請求項２０】
前記ケースには、サウンドプレーヤーが連結される外部入力端子部が備えられる、請求項１乃至９のうちのいずれかに記載の皮膚美容装置。
【請求項２１】
前記外部入力端子部を通じて入力されるサウンドの周波数によって振動子が振動する、請求項２０に記載の皮膚美容装置。
【発明の詳細な説明】
【技術分野】
【０００１】
本発明は皮膚美容装置に係り、より詳しくは、磁気コイル方式で上下方向に振動する振動子を使用して様々な皮膚管理モードを遂行することができ、前記振動子を使用したガルバニックマッサージ及びイオン泳動マッサージが可能であり、またＭ−Ｃ−Ｓ（Magnetic-Color-Sound）セラピー機能を遂行することができる、コンパクトサイズの皮膚美容装置に関するものである。
【背景技術】
【０００２】
皮膚を効果的に管理するための皮膚美容装置の一例として、大韓民国特許登録番号第３１９４９３号には、超音波と遠赤外線及びバイブレーション装置を用いた皮膚美容器が開示されており、前記バイブレーション装置は、クレンジング、マッサージ及びリフティングモードを遂行する振動モーターを備えている。
【０００３】
しかし、前記特許の皮膚美容器は、前記で言及したように振動モーターの回転力を直線運動やカム運動に転換して皮膚に刺激を与える方式を適用しているため、振動モーターの動力が伝達される過程で騷音が大きく発生し、美容器の使用者に不快感を与える問題点があり、水平方向（皮膚面に平行な方向をいう）に分散される力が大きく、皮膚面に垂直に作用する力が小さいため、皮膚マッサージが効果的にできないという問題点がある。
【０００４】
そして、前記特許の皮膚美容器は、遂行モード及び機能が非常に制限的であるため、皮膚を効果的に管理するには限界があるという問題点がある。
【発明の開示】
【発明が解決しようとする課題】
【０００５】
本発明は前記問題点を解決するためのものであって、本発明の目的は、磁気コイル方式で上下方向に振動する振動子を備えた皮膚美容装置を提供することにある。
【０００６】
本発明の他の目的は、前記振動子を制御することにより、クレンジングモード（cleansing  mode）、アイゾーンモード（eyezone  mode）、フェーシャルモード（facial  mode）、リフティングモード（lifting  mode）、及びイオン導入モード（vitamin  mode）のような様々なモードで皮膚管理が可能な皮膚美容装置を提供することにある。
【０００７】
本発明のまた他の目的は、前記モードを遂行しながらガルバニックマッサージ及びイオン泳動マッサージを遂行することができる皮膚美容装置を提供することにある。
【０００８】
本発明の他の目的は、前記モードを遂行しながらＭ−Ｃ−Ｓ（Magnetic-Color-Sound）セラピー機能を遂行することができる皮膚美容装置を提供することにある。
【課題を解決するための手段】
【０００９】
前記目的を達成するための本発明の皮膚美容装置は、
外形を形成するケース；
前記ケースの内部に設けられ、電源部から電源の印加を受けて磁気コイル方式で振動する振動子を備えた振動部；
前記振動子と反対極性に帯電し、前記ケースに設置される外部電極部；
前記ケースに備えられる操作スイッチ部；及び
前記操作スイッチ部から入力された信号に応じて前記振動部を制御する制御部；を含む。
【００１０】
前記振動部は、ハウジングと、前記ハウジングの下側端部に固定されて磁力を発生させる磁石組立体と、前記磁石組立体の間に磁気コイル方式による上下方向の振動を発生させるためのコイルが巻かれるボビンと、前記ハウジングの内部に設けられ、前記ボビンを支持する少なくとも一つ以上のダンパーと、前記ボビンと結合されて一体に振動する振動子とを含む。
【００１１】
前記ダンパーは、前記ボビンの上側で前記ハウジングの第１安着部に安着する第１ダンパーと、第１ダンパーの上側で前記ハウジングの第２安着部に安着する第２ダンパーとを含む。もちろん、前記第２ダンパーの上側には、シーリング用の第３ダンパーがさらに設けられてもよい。
【００１２】
この場合、前記ボビンは、第１ダンパーを貫通して設置することができ、振動子は、第２ダンパーに固定設置することができる。
【００１３】
前記第２ダンパーは、電極端子が形成される外側環と、外側環の内側に配置される内側環と、前記内側環及び外側環の間の空間で両側環をほぼ“⊃”の字形状に連結する複数の連結片と、前記連結片において前記内側環の中心に向かって互いに連結される複数の支持片と、前記内側環の中心から支持片の連結部に提供されるネジ挿入孔とを含む。この時、前記支持片は等間隔に配置される。
【００１４】
そして、前記振動子の内部には、前記ネジ挿入孔と対向する位置にネジ締結孔が備えられ、振動子の下側端部には、第２ダンパーの支持片の間に挿入される３個の挿入片が備えられる。
【００１５】
したがって、振動子は、前記挿入片が支持片の間に挿入された状態で、前記ネジ挿入孔を介してネジ締結孔に締結されるネジによって一体に組立てられる。
【００１６】
この時、前記支持片のうちのいずれかの支持片の幅を他の支持片より大きく形成して、第２ダンパーと振動子との組立が方向性を維持した状態で可能になるようにする。
【００１７】
前記のように振動子に結合される第２ダンパーは、振動子の反復的な振動にも耐久性が保障されるようにするために、ステンレススチールから形成するのが好ましい。
【００１８】
そして、前記振動子は、プラスチック材質の本体の表面に白金族元素、例えばロジウム、ニッケル、白金などをメッキして形成するのが好ましい。前記白金族元素の中でも特にロジウムは、敏感な皮膚にもアレルギーなどの副作用が全くないので、前記ロジウムをメッキして形成するのが好ましい。
【００１９】
前記振動子の本体の表面にメッキ層を形成するのは、第２ダンパーと振動子とを結合するネジによる通電経路を補完することにより、電極端子を通じて印加される電源が振動子に良好に伝達されるようにするためである。
【００２０】
このように第２ダンパーと振動子とを通電させるのは、第２ダンパーの電極端子を通じて印加された電流により、振動子を正極または負極のうちのいずれかの極性に帯電させてイオン泳動マッサージを可能にするためであって、ケースの外面、特に使用者がケースを手で握る取っ手部には外部電極部が備えられる。
【００２１】
前記外部電極部は、プラスチック本体の表面に導電性物質をメッキして形成され、制御部が設置されるＰＣＢ上にネジ締結方式で締結されることにより通電する。
【００２２】
したがって、第２ダンパー、振動子、人体、及び外部電極部からなる閉回路が構成され、これによってイオン泳動マッサージが可能になる。
【００２３】
そして、ハウジングの下側端部に固定される磁石組立体は、永久磁石と、中心部に貫通孔を備え、前記永久磁石が外周面に配置される上側コア部材と、前記貫通孔に挿入される突出部を備え、前記上側コア部材と結合されて永久磁石を固定する下側コア部材とを含む。
【００２４】
この時、前記貫通孔の内周面と突出部の外周面との間には設定されたギャップが形成されるが、このギャップを通じてボビンに巻かれたコイルが挿入される。したがって、前記ボビンに外部電源が印加される場合、磁気コイル方式でボビンが上下方向に振動して、ボビンと結合した振動子及び第２ダンパーが上下方向に振動するようになる。
【００２５】
そして、前記操作スイッチ部は、電源ボタンと、モード選択ボタンと、レベル選択ボタンとを含む。
【００２６】
この中で、前記モード選択ボタンは、クレンジングモード、アイゾーンモード、フェーシャルモード、リフティングモード、及びイオン導入モードを選択することができるように構成される。
【００２７】
例えば、電源ボタンをオン（on）にした状態でモード選択ボタンを１回乃至５回操作すれば、クレンジングモードからイオン導入モードまでを段階的に遂行することができる。
【００２８】
効果的な皮膚管理のためには、前記５種類のモードを段階的に遂行するのが好ましい。
【００２９】
そして、前記レベル選択ボタンは、ローレベル（low  level）、ミディアムレベル（medium  level）、ハイレべル（high  level）、及び無振動レベルを選択することができるように構成するのが好ましい。
【００３０】
一方、前記実施例の皮膚美容装置は、Ｍ−Ｃ−Ｓセラピー機能を遂行することができるが、前記Ｍ−Ｃ−Ｓは、マグネチック（magnetic）、カラー（color）、サウンド（sound）のイニシャルを各々示す。
【００３１】
本実施例の皮膚美容装置は、ケースに結合されるカバーをさらに備えるが、前記マグネチックセラピー機能を遂行するために、前記カバーの内側には、希土類磁石（Rare  earth  magnet）の一種類で高い磁気エネルギーを放出するＮＤ磁石（Nd-Fe-B magnet ）が固定される。したがって、前記ＮＤ磁石から放出される磁力により、血液循環を改善するセラピー機能が遂行される。
【００３２】
そして、前記ＮＤ磁石は、カバーをケースに脱着可能に固定する手段としても作用するが、このためには、ケースの先端に前記ＮＤ磁石が磁力によって固定されるように磁石固定板を設置するのが好ましい。この場合、前記磁石固定板も振動子の上下方向の振動をガイドするダンパーとして作用することができる。
【００３３】
一方、前記ケースには、所定の波長の光を放出することによってカラーセラピー機能を遂行する光放出部がさらに備えられる。
【００３４】
前記光放出部を構成する光源としては、皮膚を活性化するのに効果的な赤色波長の光を放出する赤色光源、皮膚を鎮静させるのに効果的な青色波長の光を放出する青色光源を使用することができる。もちろん、前記光源は、紫外線、可視光線、または赤外線を放出するものでもよい。
【００３５】
そして、前記皮膚美容装置は、音声出力部をさらに備えるが、前記音声出力部は、制御部と共にＰＣＢ上に設置されるボイスＩＣと、ボイスＩＣの信号を増幅する増幅部とを含む。前記ボイスＩＣには、モード選択スイッチの操作信号に応じて使用者に出力する音声メッセージに対する内容が記憶されている。
【００３６】
したがって、前記ボイスＩＣの信号が増幅部で増幅された後に振動部に伝達されると、前記振動部のボビンが磁気コイル方式によって振動しながらダンパーが共鳴板として作用して、所定の音声メッセージが出力される。もちろん、前記音声出力部は、スピーカーをさらに含むことができる。
【００３７】
一方、前記サウンドセラピー機能を遂行するために、前記皮膚美容装置は、ＭＰ３などのサウンドプレーヤーが連結される外部入力端子部をさらに備える。
【００３８】
前記サウンドセラピー機能は、外部から入力されるサウンド（音楽、音響、及び音源など）の周波数によって振動子を振動させる一方で、皮膚美容装置の使用者が骨振動及び空気振動によって前記サウンドを聴取できるようにする機能をいう。
【００３９】
もちろん、前記外部入力端子部を通じてプログラムを変更することにより、各モードで使用する振動周波数、振動幅の範囲、及びモード遂行時間などの変更も可能である。
【発明の効果】
【００４０】
本発明によれば、磁気コイル方式で振動する振動子を使用してマッサージ機能を遂行することにより、モーターを用いて振動子を振動させる従来の方式に比べて、騷音発生がほとんどなく、また、水平方向に分散される力が非常に小さくなるので、振動子によるマッサージ効果を向上させる効果がある。
【００４１】
そして、振動子の振動周波数及び振動幅などを制御して、様々なモード（クレンジングモード、アイゾーンモード、フェーシャルモード、リフティングモード、及びイオン導入モード）を遂行することができ、また、前記モードを遂行する途中でイオン泳動マッサージ及びガルバニックマッサージを選択的に遂行することができる効果がある。
【００４２】
また、前記５種類のモード以外にも、外部入力端子部を通じたサウンドセラピー機能、カバーに固定されたＭＤ磁石を使用したマグネチックセラピー機能、及び光源を使用したカラーセラピー機能を備えることにより、マッサージ効果の極大化が可能になる。
【発明を実施するための最良の形態】
【００４３】
以下、添付図面を参照して、本発明の実施例による皮膚美容装置を詳細に説明する。
【００４４】
図１は、本発明の実施例による皮膚美容装置の概略的な構成を示すブロック図であり、図２は、本発明の実施例による皮膚美容装置の外形斜視図であり、図３は、図２のケースの底面図であり、図４は、図２のケースからカバーを分離した状態の部分斜視図である。
【００４５】
そして、図５は、図１の振動部の構成を示す分解斜視図であり、図６は、図５の組立状態を示す斜視図であり、図７は、図６の断面図であり、図８ａ乃至８ｄは、本発明の実施例による皮膚美容装置を使用してクレンジングモード、アイゾーンモード、フェーシャルモード、リフティングモード、イオン導入モードを遂行する際に用いる各々の電流波形図である。
【００４６】
図示したように、本実施例の皮膚美容装置は、電源部１０、制御部２０、振動部３０、操作スイッチ部４０、音声出力部５０、外部電極部６０、外部入力端子部７０、及び光放出部８０を含む。
【００４７】
本実施例において、前記電源部１０は、皮膚美容装置の各構成部品のうちの電源を必要とする部分に電源を印加するものであり、前記電源部１０は、据置式充電装置１２を使用して充電が可能な二次電池（図示せず）を含む。
【００４８】
制御部２０は、前記操作スイッチ部４０の操作信号に応じて振動部３０、音声出力部５０、及び光放出部８０などを制御し、また、外部入力端子部７０から入力されるサウンドによって振動部３０を制御する。
【００４９】
図５乃至図７を参照すると、本実施例の振動部３０は、ハウジング３１と、磁石組立体３２と、第１及び第２ダンパー３３、３４と、ボビン３５と、振動子３６とを含む。
【００５０】
前記ハウジング３１は、両端部が開放された円筒形状からなり、内周面には、第１及び第２ダンパー３３、３４が各々安着する第１及び第２安着部３１ａ、３１ｂが備えられる。
【００５１】
そして、前記磁石組立体３２は、ハウジング３１の下側端部に固定されて磁力を発生させるものであり、本実施例での前記磁石組立体３２は、永久磁石３２ａと、中心部に貫通孔３２ｂ´を備え、前記永久磁石３２ａが外周面に配置される上側コア部材３２ｂと、貫通孔３２ｂ´に挿入される突出部３２ｃ´を備え、前記上側コア部材３２ｂと結合されて永久磁石３２ａを固定する下側コア部材３２ｃとを含む。この時、前記貫通孔３２ｂ´の内周面と突出部３２ｃ´の外周面との間には、設定されたギャップ（ｇ）が形成される。
【００５２】
そして、前記磁石組立体３２の上側でハウジング３１の第１安着部３１ａに安着する第１ダンパー３３は、第２ダンパー３４が振動する時に磁石組立体３２に衝突するのを防止する作用をする。
【００５３】
前記第１ダンパー３３は、中心部にボビン挿入孔３３ａを備えた円環形状からなり、第１安着部３１ａに安着した状態でその周囲にエポキシ樹脂などの接着剤を塗布することによりハウジング３１に固定される。
【００５４】
前記第１ダンパー３３のボビン挿入孔３３ａにはボビン３５が挿入されるが、前記ボビン３５には、電線３５ａを通じて電源の印加を受けるコイル３５ｂが設けられ、前記コイル３５ｂが磁石組立体３２のギャップ（ｇ）内部に挿入される。したがって、前記コイル３５ｂに電源が印加されると、ボビン３５は、コイル３５ｂと永久磁石３２ａとの間に発生する磁気コイル現象により、図７に矢印で示した上下方向に振動するようになる。この時、前記第１ダンパー３３は、ボビン３５の上下方向の振動を案内する作用をする。
【００５５】
そして、前記第１ダンパー３３の上側に設置される第２ダンパー３４は、電極端子３４ａ´が形成される外側環３４ａと、外側環３４ａの内側に配置される内側環３４ｂと、内側環３４ｂ及び外側環３４ａの間で両側環をほぼ“⊃”の字形状に連結する３個の連結片３４ｃと、前記連結片３４ｃにおいて内側環３４ｂの中心に向かって互いに連結される３個の支持片３４ｄと、内側環３４ｂの中心から支持片３４ｄの連結部に提供されるネジ挿入孔３４ｅとを含む。
【００５６】
前記支持片３４ｄは、約１２０゜の間隔で３個が配置され、支持片３４ｄのうちのいずれかは他の支持片より幅を広く形成するのが好ましい。このようにすれば、後述する振動子３６と第２ダンパー３４とを組立てる際に方向性を維持しやすい。
【００５７】
このような構成の第２ダンパー３４は、振動子３６の反復的な振動にも耐久性を保障することができるようにするために、０.２５ｍｍの厚さを有するステンレススチールから形成するのが好ましい。そして、前記第２ダンパー３４は、第２安着部３１ｂに安着した状態でエポキシ樹脂のような接着剤によってハウジング３１に接着固定される。
【００５８】
一方、前記振動子３６には、ネジ挿入孔３４ｅと対向する位置にネジ締結孔３６ａが備えられ、振動子３６の下側端部には、第２ダンパー３４の支持片３４ｄの間に挿入される３個の挿入片３６ｂが備えられる。
【００５９】
したがって、振動子３６は、前記挿入片３６ｂが支持片３４ｄの間に各々挿入された状態で前記ネジ挿入孔３４ｅを介してネジ締結孔３６ａに締結されるネジ３７によって第２ダンパー３４と一体に組立てられる。そして、振動子３６の挿入片３６ｂは、ボビン３５の上端部内側に挿入されてボビン３５と結合され、振動子３６及び第２ダンパー３４とボビン３５とはエポキシ樹脂のような接着剤によって接着固定され、前記ボビン３５の上下方向の振動の際に一体に振動する。
【００６０】
図５において、説明されていない図面符号３８は、シーリング用の第３ダンパーを示し、前記第３ダンパーはシリコン材質からなる。
【００６１】
一方、前記振動子３６は、プラスチック材質の本体３６ｂ表面に、白金族元素のロジウム（Ｒｈ）、ニッケル（Ｎｉ）、白金（Ｐｔ）などを用いたメッキ層３６ｃを形成するのが好ましい。前記白金族元素の中でも特にロジウムを用いるのが好ましいが、これは前記ロジウムが敏感な皮膚にもアレルギーなどの副作用を全く起こさないからである。
【００６２】
もちろん、前記ロジウムを皮膚に直接接触する振動子３６の先端部表面だけにメッキすることも可能である。この場合には、振動子３６の先端部を除いた他の部分に前記ロジウム以外の他の金属物質でメッキ層を形成するのが好ましいが、これは第２ダンパー３４の電極端子３４ａ´を通じて印加された電源が第２ダンパー３４と振動子３６とを結合するネジ３７、及び前記メッキ層３６ｃによって振動子３６の先端部表面まで良好に伝達されるようにするためである。
【００６３】
このようにすれば、振動子３６を正極または負極のうちのいずれかの極性に帯電させてイオン泳動マッサージ機能を遂行することができるようになる。また、前記振動子３６の極性を周期的に変換させることにより、ガルバニックマッサージ機能も遂行することができるようになる。
【００６４】
そして、前記構成の振動部３０が設置されるケース９０には、操作スイッチ部４０が備えられる。本実施例において、前記操作スイッチ部４０は、電源ボタン４１と、モード選択ボタン４２と、レベル選択ボタン４３とを含む。
【００６５】
前記モード選択ボタン４２は、クレンジングモード、アイゾーンモード、フェーシャルモード、リフティングモード、及びイオン導入モードの５種類のモードを選択することができるように構成される。
【００６６】
前記クレンジングモードは、電源ボタン４１をオン（on）にした状態でモード選択ボタン４２を１回操作することによって遂行される。これと同様に、前記アイゾーンモード、フェーシャルモード、リフティングモード、及びイオン導入モードは、モード選択ボタン４２を１回ずつさらに操作することによって段階的に遂行される。
【００６７】
一方、前記各モードを遂行する際に、振動子３６の振動周波数を調節してアルファ（α）波（α-wave）と同一な振動を発生させることもできる。
【００６８】
一般に、空気中には、陽イオンと陰イオンとが炭酸ガス、酸素、窒素、水素などのいろいろな混合物とともに存在しているが、水または化粧品などを使用する一般的なクレンジングは、負極の極性を帯びる汗やホコリだけを除去し、正極の極性を帯びる汚染物である皮脂などは除去できない。したがって、本発明は、前記クレンジングモードを遂行する際に振動子３６を負極極性に帯電させることにより、皮膚に存在する皮脂などを効果的に除去する。
【００６９】
このように、振動子３６を負極または正極極性のうちのいずれかの極性に帯電させた状態でマッサージ機能を遂行することをイオン泳動マッサージというが、クレンジングモードでは、図８ａに示した電流波形図を用いて振動子３６を負極の極性に帯電させる。前記図８ａにおいて横軸は時間を、縦軸は電流の極性を示す。
【００７０】
一方、アイゾーンモード及びフェーシャルモードでは、図８ｂに示した電流波形図を用いて振動子３６を正極の極性に帯電させ、イオン導入モードでは、図８ｃに示した電流波形図を用いて振動子３６を負極の極性に帯電させる。もちろん、詳細に説明していないが、前記アイゾーンモード、フェーシャルモード、及びイオン導入モードもイオン泳動マッサージ機能に属する。
【００７１】
そして、リフティングモードでは、図８ｄに示した電流波形図を用いて振動子３６を正極及び負極の極性に周期的に帯電させるが、このように正の電流及び負の電流を周期的に使用してマッサージ機能を遂行することをガルバニックマッサージという。
【００７２】
前記モードの中でイオン導入モードは、皮膚に有用な粒子、例えばイオン化されたビタミンＣ粒子を皮膚に注入するものである。この時、前記ビタミンＣとしては、酸化抑制物質、例えばリン酸塩（phosphate）を添加して安定した構造をなすように製造するのが好ましい。
【００７３】
前記５種類のモードを遂行することにおいて、第２ダンパー３４に印加される電圧を調節して振動子３６を正極または負極の極性に帯電させる際に、前記美容装置のケースに提供された外部電極部６０を通じて閉回路が構成される。
【００７４】
本実施例において、前記外部電極部６０は、プラスチック本体の表面に導電性物質をメッキして形成され、制御部２０が設置されるＰＣＢ上にネジ締結方式で締結されることにより通電する。
【００７５】
このようにすれば、ＰＣＢ（図示せず）→第２ダンパー３４→振動子３６→人体（図示せず）→外部電極部６０→ＰＣＢ（図示せず）のような閉回路が構成される。
【００７６】
そして、前記５種類のモードを遂行する際にレベル選択ボタン４３を操作すると、各モードのレベルをローレベル、ミディアムレベル、ハイレべル、及び無振動レベルに選択することができる。
【００７７】
一方、本実施例の皮膚美容装置は、音声出力部５０をさらに備えるが、前記音声出力部５０は、制御部２０と共にＰＣＢ（図示せず）上に設置されるボイスＩＣ５１と、ボイスＩＣ５１の信号を増幅する増幅部５２とを含む。前記ボイスＩＣ５１には、モード選択スイッチ４２の操作によって選択されたモードを使用者に出力する音声メッセージの内容が記憶されている。
【００７８】
したがって、前記ボイスＩＣ５１の信号が増幅部５２で増幅された後に振動部３０に伝達されると、前記振動部３０のボビン３５が磁気コイル方式によって振動しながらダンパー３３、３４が共鳴板として作用して、所定の音声メッセージが出力される。もちろん、前記音声出力部５０は、スピーカー５３をさらに含むことができる。
【００７９】
そして、本実施例の皮膚美容装置は、前記５種類のモード以外にも、３個のセラピー機能、例えばサウンドセラピー機能、カラーセラピー機能、及びマグネチックセラピー機能をさらに遂行することができる。
【００８０】
前記サウンドセラピー機能は、ＭＰ３、ＣＤプレーヤーなどのサウンドプレーヤーから出力されるサウンド（音楽、音響、または音源など）を振動エネルギーに変換して前記サウンドの周波数によって振動子３６を振動させる一方で、骨振動及び空気振動によって前記サウンドを使用者が聴取できるようにする機能をいう。
【００８１】
前記サウンドセラピー機能を遂行するために、皮膚美容装置のケース９０の底部には、図４に示したようにサウンドケーブル（図示せず）が連結される外部入力端子部７０が備えられ、前記外部入力端子部７０としては、ライン端子、フラッシュメモリカードコネクタ、ＵＳＢ（Universal  Serial  Bus；汎用直列バス）、ＩＥＥＥ１３９４（国際電機電子技術者協会（Institute  of  Electrical  and  Electronics  Engineers）規格による直列高速通信ポート）などを使用することができる。前記図４において、説明していない図面符号９１は、充電端子を示す。
【００８２】
もちろん、前記外部入力端子部７０を通じてプログラムを変更することにより、各モードで使用する振動周波数、振動幅の範囲、及びモード遂行時間などの変更も可能である。
【００８３】
前記サウンドセラピー機能は、クレンジングモード、アイゾーンモード、フェーシャルモード、リフティングモード、及びイオン導入モードを無振動レベルで遂行する間に遂行可能である。もちろん、前記５種類のモードを無振動レベルでない他のレベルで遂行する場合にも遂行可能である。
【００８４】
そして、前記カラーセラピー機能は、波長が異なる光源から放出された光を皮膚に照射することにより、各々の色系列で発生する固有波長によって皮膚を管理する機能である。このために、ケース９０には光源からなる光放出部８０が備えられ、前記光源としては、赤外線、紫外線、近紫外線、または可視光線を放出するものが使用される。
【００８５】
例えば、前記光源としては、皮膚鎮静効果を示す青色系列の光源（４５０乃至５００ｎｍの波長）と、皮膚活性作用効果を示す赤色系列の光源（６１０乃至７００ｎｍの波長）とを使用することができる。
【００８６】
そして、前記マグネチックセラピー機能は、磁気エネルギーによって皮膚を管理する機能である。
【００８７】
このために、ケース９０において、脱着可能に設置されるカバー９２の内側には磁石９２ａが固定されている。前記磁石９２ａは希土類磁石であって、その中でも最も高い磁気エネルギーを放出するＮＤ磁石を使用することにより、ＮＤ磁石から放出される磁力によって皮膚の血液循環を図る。
【００８８】
そして、前記磁石９２ａを使用してカバー９２をケース９０に脱着可能に設置するために、前記ケース９０には磁石固定板９３が設けられる。また、前記ケース９０には、前記磁石固定板９３の下側にシーリング用のダンパー３８がさらに設置される。
【００８９】
前記マグネチックセラピー機能は５種類のモードを遂行する間に持続的に遂行されるが、カラーセラピー機能も皮膚美容装置の使用中に持続的に遂行することが可能である。
【００９０】
以上では、本発明の好ましい実施例を説明したが、本発明は前記実施例に限定されず、特許請求の範囲、発明の詳細な説明、及び添付した図面の範囲内で多様に変形して実施することが可能であり、これも本発明の範囲に属するのはもちろんである。
【図面の簡単な説明】
【００９１】
【図１】本発明の実施例による皮膚美容装置の概略的な構成を示すブロック図である。
【図２】本発明の実施例による皮膚美容装置の概略的な構成を示す外形斜視図である。
【図３】図２のケースの底面図である。
【図４】図２のケースからカバーを分離した状態の部分斜視図である。
【図５】図１の振動部の構成を示す分解斜視図である。
【図６】図５の組立状態を示す斜視図である。
【図７】図６の水平方向断面図である。
【図８ａ】本発明の実施例による皮膚美容装置を用いてクレンジングモードを遂行する際に用いる各々の電流波形図である。
【図８ｂ】本発明の実施例による皮膚美容装置を用いてアイゾーンモードとフェーシャルモードを遂行する際に用いる各々の電流波形図である。
【図８ｃ】本発明の実施例による皮膚美容装置を用いてリフティングモードを遂行する際に用いる各々の電流波形図である。
【図８ｄ】本発明の実施例による皮膚美容装置を用いてイオン導入モードを遂行する際に用いる各々の電流波形図である。
【符号の説明】
【００９２】
１０  電源部
１２  充電装置
２０  制御部
３０  振動部
３１  ハウジング
３１ａ  第１安着部
３１ｂ  第２安着部
３２  磁石組立部
３２ａ  永久磁石
３２ｂ  上側コア部材
３２ｂ´  貫通孔
３２ｃ´  突出部
３３  第１ダンパー
３３ａ  ボビン挿入孔
３４  第２ダンパー
３４ａ  外側環
３４ａ´  電極端子
３４ｂ  内側環
３４ｃ  連結片
３４ｄ  支持片
３４ｅ  ネジ挿入孔
３５  ボビン
３５ａ  電線
３５ｂ  コイル
３６  振動子
３６ａ  締結孔
３６ｂ  挿入片
３６ｃ  メッキ層
３７  ネジ
３８  シーリング用のダンパー
４０  操作スイッチ部
４１  電源ボタン
４２  モード選択ボタン
４３  レベル選択ボタン
５０  音声出力部
５１  ボイスＩＣ
５２  増幅部
５３  スピーカー
６０  外部電極部
７０  外部入力端子部
８０  光放出部
９０  ケース
９２  カバー
９２ａ  磁石
９３  磁石固定板
【図１】
2005007164.tif 000003
【図２】
2005007164.tif 000004
【図３】
2005007164.tif 000005
【図４】
2005007164.tif 000006
【図５】
2005007164.tif 000007
【図６】
2005007164.tif 000008
【図７】
2005007164.tif 000009
【図８ａ】
2005007164.tif 000010
【図８ｂ】
2005007164.tif 000011
【図８ｃ】
2005007164.tif 000012
【図８ｄ】
2005007164.tif 000013